(57)【特許請求の範囲】
【請求項１】
上部に開口部を持つポケット袋であって、
上部膨出領域と、
中部膨出領域と、
下部膨出領域とから構成され、
前記上部膨出領域は、
前記開口部の両端を結ぶ上部上辺と、
該開口部の両端から下方に向かって傾斜角度を有しながら並行する上部両側辺と、
前記上部両側辺の傾斜角が垂直に対して逆方向へ角度変化する位置を其々結ぶ上部底辺とで挟まれた略膨出状の領域であり、
前記中部膨出領域は、前記上部膨出領域の前記上部底辺を境界とする中部上辺と、
該中部上辺の両端から下方に向かって傾斜角度を有しながら並行する中部両側辺と
前記中部両側辺の傾斜角が垂直に対して逆方向へ角度変化する位置を其々結ぶ中部底辺とで挟まれた略膨出状の領域であり、
前記下部膨出領域は、前記中部膨出領域の両側下端から更に下側に向かって
それぞれ逆方向に湾曲して結ばれる底部傾斜部の１辺と他辺との２辺から構成される略三角形状の膨出領域であって、
前記上部膨出領域と中部膨出領域とが湾曲する湾曲部において、上部突出部を有し、
長方形状の略平坦な携帯端末機器を前記開口部より挿入すると、自重によって落下し、
前記上部膨出領域と前記中部膨出領域の境部において、挿入角度が変化し、収納状態の変化が生じても前記長方形状の略平坦な携帯端末機器の角が前記上部突出部に掛止されることで落下を防ぐことを特徴とする携帯電話用ポケット袋。
【請求項２】
前記開口部の一端には、内側に向かって突出する開口部規制部が設けられることを特徴とする前記請求項１に記載の携帯電話用ポケット袋。
【請求項３】
請求項１又は２に記載の携帯電話用ポケット袋を持つ衣服。
【発明の詳細な説明】
【技術分野】
【０００１】
本発明は、携帯電話機（特にスマートフォン（登録商標）やｉｐｈｏｎｅ（登録商標）に代表されるような、薄く平坦な形状の携帯電話機）、若しくはＰＤＡやシステム手帳等といった、同じく薄く平坦な形状の物品が、前かがみになる等、姿勢の変化などによって、服のポケットから脱落するのを防ぎ、且つ、簡単に出し入れすることのできる衣服用ポケットに関するものである。
【背景技術】
【０００２】
近年の携帯電話機は、スマートフォン（登録商標）やｉｐｈｏｎｅ（登録商標）に代表されるような、薄く平坦な形状のものが普及している。日本国内におけるその普及率の上昇は急激なもので、2012年10月の調査によると39.9%であり、5ヶ月で10%も普及率が上昇している。スマートフォンタイプの携帯電話機は、パソコン的な機能を備え、従来の携帯電話機と比較して、アプリケーション等が充実し、また、インターネットの利用等も快適であるため、今後もさらにその普及率は上昇するものと思量されるところである。
【０００３】
このように、普及率が上昇しているスマートフォンタイプの携帯電話機であるが、係る携帯電話機は、片面のほぼ全域がタッチパネルの液晶画面で構成され、突起物らしい突起はほとんどないことから、胸のポケットなどに携帯電話を入れた状態でかがんだりすると、拍子にポケットから携帯電話が滑り落ち易いという問題がある。
【０００４】
この問題に対応するために、ポケットの開口部にファスナー、マジックテープ（登録商標）等を使用して開口部の全部、又は一部を閉鎖して携帯電話の脱落を防ぐ方法もある。しかし、携帯電話の落下は防止できるが、着信時等にすばやく取り出せず、わずらわしいものとなってしまう。
そのため、ポケットの開口部にファスナー、マジックテープ（登録商標）等を用いず、携帯電話、スマートフォンの脱落を防ぎ、且つ、簡単に出し入れすることのできる衣服用ポケットが求められている。
【０００５】
この課題を解決する発明として、ポケットの開口部を縦方向とし、ポケット内に収容した携帯等が開口部方向に傾かないような形状としたポケット袋体（特許文献１参照）が提案され、公知技術となっている。また、ポケット全体を斜めに傾け、開口部の一部を縫製することにより、開口部が下を向いた際に、携帯等の落下を防止するポケット（特許文献２参照）も提案され、公知技術となっている。
【０００６】
しかしながら、特許文献１の発明は、携帯等の落下を防止できるものの、開口部が縦方向であるため、携帯等の出し入れがしにくいという問題がある。また、特許文献２の発明は、携帯等の落下を防止できるものの、発明の特徴である縫製することによって携帯等の落下を十分に防止できるしくみが十分に開示されていない。そのため、携帯等の出し入れが容易で、開口部が下になった場合の落下を防止することの解決には至っていない。本発明者はそれらの問題を解決しようと、ポケット内の形状による構造と携帯電話の動きに着目し、「携帯電話用ポケット袋」の提案に至るものである。
【先行技術文献】
【特許文献】
【０００７】
【特許文献１】特開２００３−１４７６１６号
【特許文献２】特開２０１２−１５８８５８号
【発明の概要】
【発明が解決しようとする課題】
【０００８】
本発明は、上記問題点に鑑み、薄く平坦な形状の携帯電話機やＰＤＡ、若しくはシステム手帳等といった物品が、前かがみになる等の姿勢変化により衣服用ポケット開口部が下になった場合であっても、これらが服のポケットから脱落するのを防ぎ、且つ、簡単に出し入れすることのできる携帯等の落下を防止できるポケット袋の提供を図る。
【課題を解決するための手段】
【０００９】
本発明に係る携帯電話用ポケット袋は、上部に開口部を持つポケット袋であって、
上部膨出領域と、中部膨出領域と、下部膨出領域とから構成され、前記上部膨出領域は、前記開口部から両側部が略膨出状に傾斜した領域から成り、前記中部膨出領域は、前記上部膨出領域の両側部下端から逆方向に略並行に湾曲した領域から成り、前記下部膨出領域は、前記中部膨出領域の両側下端からそれぞれ逆方向に湾曲して結ばれる底部傾斜部の１辺と他辺との２辺から構成される略三角形状の膨出領域であって、前記上部膨出領域と中部膨出領域とが湾曲する湾曲部において、上部突出部を有し、長方形状の略平坦な携帯端末機器を前記開口部より挿入すると、自重によって落下し、前記上部膨出領域と前記中部膨出領域の境部において、挿入角度が変化し、収納状態の変化が生じても前記長方形状の略平坦な携帯端末機器の角が前記上部突出部に掛止されることで携帯電話機等の落下を防止できる手段を採る。
【００１０】
また、本発明は、前記開口部の一端に、内側に突出する開口部規制部が設けられる構成手段を採ることもできる。
【００１１】
また、本発明は、携帯電話用ポケット袋を持つ衣服である手段を採る。
【発明の効果】
【００１２】
本発明に係る携帯電話用ポケット袋によれば、携帯等の出し入れが容易で、開口部が下になった場合の携帯等の落下を防止することが可能であり、使用者の利便性の向上に供するものである。
【図面の簡単な説明】
【００１３】
【図１】本発明に係る携帯電話用ポケット袋の斜視図である。
【図２】本発明に係る携帯電話用ポケット袋の断面図である。
【図３】本発明に係る携帯電話用ポケット袋の実施例の説明図である。
【図４】本発明に係る携帯電話用ポケット袋の実施例の説明図である。
【図５】本発明に係る携帯電話用ポケット袋の実施例の説明図である。
【図６】本発明に係る携帯電話用ポケット袋の実施例の説明図である。
【発明を実施するための形態】
【００１４】
本発明である携帯電話用ポケット袋は、携帯等の出し入れが容易で、開口部が下になった場合の落下を防止できることを最大の特徴とする。以下、実施例を図面に基づいて説明する。
なお、本実施例で示される携帯電話用ポケット袋の全体形状及び各部の形状は、下記に述べる実施例に限定されるものではなく、本発明の技術的思想の範囲内、即ち、同一の作用効果を発揮できる形状及び寸法の範囲内で変更することができるものである。
【実施例１】
【００１５】
図１から図２及び図６にしたがって、本発明を説明する。
図１は、本発明の全体斜視図を示し、図２は同断面図を示すものである。図６は衣服にポケットを付けた図を示すものである。
【００１６】
携帯電話用ポケット袋１は、衣服のポケット袋構造であり、外側からは衣服の開口部から携帯電話用ポケット袋１の開口部２が見える形で衣服に縫合されている。携帯電話用ポケット袋１の材質は、対象となる衣服と同じ素材の布地でもいいし、より携帯電話１２に特化したものとする場合は、外装部３を防水布地、内装部を衝撃を吸収する弾力性のある素材でもよい。本実施例では、外装部３と内装部が別素材とし、内装部はウレタン素材の生地であるとして、内装部の形状を主に説明する。
【００１７】
図６は衣服の例であり、図６（ａ）はエプロン１１の胸部分に携帯電話用ポケット袋１を配した状態を示し、図６（ b ）は、エプロン開口部１３より携帯電話１２を挿入した状態を示している。携帯電話用ポケット袋１の形態は通常のポケットと若干異なるが、外観から見えることはない。本例はエプロンであるが、衣服全般のポケットに採用可能であることは言うまでもない。
【００１８】
携帯電話用ポケット袋１は全体としては、上下方向で見た場合の中部がやや斜め方向に傾き、下部が一方方向に出っ張り、底部が斜めに傾いている。詳細を図２の断面図に沿って説明する。開口部２は対象とする携帯電話１２（以下携帯電話とは、携帯電話、スマートフォンを含む名称とする。）の横幅よいも若干大きく、衣服に密着する様に扁平した楕円状の口となっている。上部突出部４は開口部２の側辺の一方の辺の上部であり、突出部である。
【００１９】
中部膨出部５は、携帯電話１２の上部が斜めに当たる部分であり、外方向に膨出している。下部膨出部８は、下部の膨出部分であり、比較的大きく、小型の携帯電話１２を安定して保持する役目を持つ。下部傾斜底部９は、底部分であり、下部膨出部８方向にやや傾き、携帯電話１２を携帯電話用ポケット袋１に挿入した際に携帯電話１２が中部膨出部５方向に傾くことを補助する。また、小型の携帯電話１４の側面を安定して保持する役目も持つ。
【００２０】
下部傾斜壁部７は上述の側面の一方の辺に対向する他の辺の下部の壁部であり、底に行くほどポケット内部が広がるように袋の外方向に傾斜している。この形状により、空間が広くなり、携帯電話１２が底面付近に来た際に携帯電話１２の底部を下部傾斜壁部７の方向に導くことができる。中部壁部６は中部の壁部であり、ポケット内部方向に反った構造である。携帯電話１２は中部壁部６によって、ポケットの中ほどに来た際に、携帯電話１２の底部が中部壁部６から離れる方向に傾かせる作用を持つ。開口部規制部１０は開口部２の一部を規制する部分であり、開口部規制部１０によって、携帯電話１２は開口部２から携帯電話用ポケット袋１に挿入される際、より中央に近い位置で挿入されることになる。
【００２１】
次に、図３にしたがって、本発明の詳細を説明する。図３（ａ）から（ｃ）は、携帯電話用ポケット袋１に携帯電話１２が入る動作を順に示す図である。図３（ｄ）は、開口部２を下にした際の携帯電話用ポケット袋１内の携帯電話１２の動きを示す図である。
【００２２】
携帯電話１２を携帯電話用ポケット袋１に対して開口部２から鉛直方向に挿入する。携帯電話用ポケット袋１の中段の中部壁部６による規制と中部膨出部５による空間によって、携帯電話１２は紙面の左方向に一度傾きながら進む、その後、携帯電話用ポケット袋１の下部では、中部壁部６の規制がなくなり、逆に下部傾斜壁部７によって紙面の右方向に空間の余裕が生まれることから、携帯電話１２は右方向に傾きながら下部傾斜底部９に達する（ａ）、（ｂ）。この際、下部膨出部８の空間方向に進むことも考えられるが、中部膨出部５の下部分が、突起状の形態となるので、比較的大きな携帯電話では、この部分と下部傾斜壁部７の関係から、携帯電話１２は携帯電話用ポケット袋１の底部分では、右に傾きながら下部傾斜底部９に達する。
【００２３】
下部傾斜底部９は紙面左方向でより底が深くなるように傾斜していることから、携帯電話１２は、右底部のみ下部傾斜底部９に接した状態となり、自然に左方向に傾斜する（ｃ）。携帯電話１２は、この状態で安定する。使用者が携帯電話１２の上部を摘めば容易に携帯電話１２を取り出すことができる。
【００２４】
使用者が前屈みになるなどして、開口部２が下向きになった際、携帯電話１２は自重によって紙面の上方向に移動する。携帯電話１２は上部突出部４の点Ｐにあたり、点Ｐを軸として反時計周りに回転し、下部傾斜壁部７に携帯電話１２の側面が当接する。後述するように、携帯電話１２は上部突出部４から容易にずれないため、携帯電話１２は上部突出部４と下部傾斜壁部７で安定して保持され、携帯電話用ポケット袋１から滑り落ちることはない（ｄ）。
このように、携帯電話１２の出し入れが容易であり、且つ、不用意に携帯電話１２がポケットから滑り落ちることを防ぐことができる。
【００２５】
次に、図４にしたがって、本発明の詳細を説明する。図４（ａ）から（ｃ）は、携帯電話用ポケット袋１に携帯電話１２が入る動作を順に示す図である。図４（ｄ）は、開口部２を下にした際の携帯電話用ポケット袋１内の携帯電話１２の動きを示す図である。
携帯電話１２を携帯電話用ポケット袋１に対して開口部２から鉛直方向に挿入する。携帯電話用ポケット袋１の中段の中部壁部６による規制に対して、小型の携帯電話１４の形状は小さいことから、影響を受けずほぼまっすぐ、下部傾斜底部９に達する（ａ）。小型の携帯電話１４は重量も携帯電話１２よりも小さいことから、下部傾斜底部９に対して滑り（ｂ）、小型の携帯電話１４の底部が下部膨出部８に収まる形で安定する（ｃ）。
使用者が前屈みになるなどして、開口部２が下向きになった際、小型の携帯電話１４は自重によって紙面の上方向に移動する。携帯電話１２は下部膨出部８の上部と下部傾斜壁部７に支えられる形で安定する。下部膨出部８の上部（点Ａ）は徐々に狭くなる部分であるし、下部傾斜壁部７の壁に小型の携帯電話１４の上部全体が接しているため、きわめて滑りにくいからである（ｄ）。
このように、携帯電話１２のみでなく、小型の携帯電話１４についても、出し入れが容易であり、且つ、不用意に携帯電話１２がポケットから滑り落ちることを防ぐことができる。
【００２６】
次に、図５にしたがって、上部突出部４が携帯電話１２に当たる際の角度について、説明する。上部突出部４の突起の下部が水平に突出していれば携帯電話１２が、上部突出部４に当たった際に開口部２方向に滑り出すことはないが、取り出し容易にするためには、ある程度傾けたほうがよい。そこで、どの程度の傾きまで許容可能か検討する。
携帯電話１２の重量による力をＭｇ、上部突出部４の携帯電話１２に当たる部分の角度をθ、携帯電話１２がすべる力をＴ、携帯電話１２が上部突出部４を押す力をＮ、上部突出部４と携帯電話１２の間の摩擦係数をμ、最大摩擦力をＦとする。
すべる力Ｔは
Ｔ＝Ｍｇｓｉｎθ      −−−（式１）
最大摩擦力Ｆは
Ｆ＝μＮ              −−−（式２）
Ｎをθであらわすと
Ｆ＝μＭｇｃｏｓθ    −−−（式３）
ＴがＦよりも小さければ滑らない。よって
Ｔ＜Ｆ                −−−（式４）
Ｍｇｓｉｎθ  ＜  μＭｇｃｏｓθ  −−−（式５）
であればよい。
例として、θが３０度、Ｍｇが１３０ｇ、μが０．８２とすると、
Mｇｓｉｎθは６５ｇ、μＭｇｃｏｓθは９２ｇであり、ＴがＦよりも小さいから、すべることはない。携帯電話１２と上部突出部４間の摩擦係数によって、適切なθの値を設定可能である。
【００２７】
このように、本発明によれば、携帯等の出し入れが容易で、開口部が下になった場合の落下を防止でき、使用者の利便性を向上させることができる。
本発明は、衣服のポケットとして、説明してきたが、携帯電話を収納する袋状の物への応用が可能である。
また、本発明の素材は布地として説明したが、柔軟性のある素材であれば、同様の効果をもつことができる。
また、本発明は携帯電話用として説明したが、同様の小型電子機器への応用可能であることはいうまでもない。
【産業上の利用可能性】
【００２８】
本発明に係る携帯電話用ポケット袋は、衣料分野において産業上の利用可能性は大きいと思量する。
【符号の説明】
【００２９】
１  携帯電話用ポケット袋
２  開口部
３  外装部
４  上部突出部
５  中部膨出部
６  中部壁部
７  下部傾斜壁部
８  下部膨出部
９  下部傾斜底部
１０  開口部規制部
１１  エプロン
１２  携帯電話
１３  エプロン開口部
１４  小型の携帯電話
【図１】
0005622332.tif 000002
【図２】
0005622332.tif 000003
【図３】
0005622332.tif 000004
【図４】
0005622332.tif 000005
【図５】
0005622332.tif 000006
【図６】
0005622332.tif 000007